(57)【要約】【課題】  締め付けベルトの緩め作業が小労力でかつ容易に行えるケース締付けベルトの係止具を得る。【解決手段】ベルト（１２）の挿通が可能な上部環体（１６）と下部環体（１８）とを上下に重ねてなる係止具（１５）を設け、該係止具（１５）を前後に配置して前記上部環体（１６）及び下部環体（１８）の各後部桟（１６ｂ，１８ｂ）にベルト（１２）の後部（１２ｂ）側を連結し、前記上部環体（１６）の前部桟（１６ａ）にベルト（１２）の前部（１２ａ）を前方に折り返して連結し、該ベルト（１２）の前部（１２ａ）の折り返し部（１２ｄ）を前記上部環体（１６）の前部桟（１６ａ）と前記下部環体（１８）の前部桟（１８ａ）とで挟圧係止してなるケース締付けベルト（１１）を設け、前記係止具（１５）の上部環体（１６）に、該上部環体（１６）の前部桟（１６ａ）よりも前方に突出する操作片（１７）を設ける。【選択図】        図２
2007175273.tif 000002
【特許請求の範囲】
【請求項１】
ベルト（１２）の挿通が可能な上部環体（１６）と下部環体（１８）とを上下に重ねてなる係止具（１５）を設け、該係止具（１５）を前後に配置して前記上部環体（１６）及び下部環体（１８）の各後部桟（１６ｂ，１８ｂ）にベルト（１２）の後部（１２ｂ）側を連結し、前記上部環体（１６）の前部桟（１６ａ）にベルト（１２）の前部（１２ａ）を前方に折り返して連結し、該ベルト（１２）の前部（１２ａ）の折り返し部（１２ｄ）を前記上部環体（１６）の前部桟（１６ａ）と前記下部環体（１８）の前部桟（１８ａ）とで挟圧係止してなるケース締付けベルト（１１）を設け、前記係止具（１５）の上部環体（１６）に、該上部環体（１６）の前部桟（１６ａ）よりも前方に突出する操作片（１７）を設けたことを特徴とするケース締付けベルトの係止具。
【請求項２】
操作片（１７）は、上部環体（１６）の前部桟（１６ａ）から下部環体（１８）方向に屈曲させたことを特徴とする請求項１記載のケース締付けベルトの係止具。
【発明の詳細な説明】
【技術分野】
【０００１】
本発明は、旅行時等に携行するスーツケース、トランク等のケースが途中で不用意に開くのを防止するケース締付けベルトに関し、特にその係止具に関するものである。
【背景技術】
【０００２】
従来は、図５、図６に示すようになっていた。図５において、１は旅行用の衣類及び小物類を収容するスーツケース、２は該スーツケース１の開きを防止する締付けベルトである。該締付けベルト２は、スーツケース１の周囲を懸回する帯び状のベルト本体３、中継ベルト４、及び係止具５を主要部品としてなる。
【０００３】
前記係止具５は、長方形の枠形に形成された上部環体６と下部環体７とを上下に重ねてなり、各上下部環体６，７に無端状の中継ベルト４を挿通し、該中継ベルト４を後方（図５において右方）に延長させることにより、該中継ベルト４を各上下部環体６，７の後部桟６ｂ，７ｂに係止する。該中継ベルト４の後部に連結環８を嵌合させ、該連結環８にベルト本体３の後部３ｂを折り返し挿通して連結する。
【０００４】
前記ベルト本体３の前部３ａを各上下部環体６，７に下側から挿通し、上部環体６の前部桟６ａを上側から巻いた後、下部環体７を通過させて前方に折り返す。そして、前記折り返したベルト本体３の前端側３ｃを前方に引っ張ってスーツケース１を締め付け、その反力で前部桟６ａのベルト本体３の巻き部３ｄを上部環体６の前部桟６ａと下部環体７の前部桟７ａとで挟圧し、締付けベルト２の緩みを阻止する。
【０００５】
そして、締付けベルト２を緩める際には、図６に示すように、上部環体６を上方に回動させ、その前部桟６ａを下部環体７の前部桟７ａから離すことにより、前記巻き部３ｄの挟圧を解除し、ベルト本体３の前端側３ｃを矢印Ａ方向（後方）に移動させるとともに、前部３ａを矢印Ｂ方向（前方）に移動させる。
【０００６】
この場合、前記従来のものは、締付けベルト２を緩める際に大変労力を要するものであった。即ち、上部環体６が単純な長方形の枠形となっていたので、これを上方に回動させる際には上部環体６の側部に指を掛けて上方に回動させる必要があり、締付けベルト２が締まっていると、上部環体６の側部に指を入れることが困難となり、また、該側部は上部環体６の回動中心、つまり後部桟６ｂに近いため、この部に指を掛けて上方に回動させるには大きな力を要するものであった。
【特許文献１】特開２００５−３３４５８８号公報
【特許文献２】特開２０００−１７５７２２号公報
【発明の開示】
【発明が解決しようとする課題】
【０００７】
本発明は、締め付けベルトの緩め作業が小労力でかつ容易に行える新規なケース締付けベルトの係止具を得ることを目的とする。
【課題を解決するための手段】
【０００８】
本発明は、前記目的を達成するために以下の如く構成したものである。即ち、請求項１に係る発明は、ベルトの挿通が可能な上部環体と下部環体とを上下に重ねてなる係止具を設け、該係止具を前後に配置して前記上部環体及び下部環体の各後部桟にベルトの後部側を連結し、前記上部環体の前部桟にベルトの前部を前方に折り返して連結し、該ベルトの前部の折り返し部を前記上部環体の前部桟と前記下部環体の前部桟とで挟圧係止してなるケース締付けベルトを設け、前記係止具の上部環体に、該上部環体の前部桟よりも前方に突出する操作片を設ける構成にしたものである。
また、請求項２に係る発明は、前記操作片を上部環体の前部桟から下部環体方向に屈曲させたものである。
【発明の効果】
【０００９】
本発明の請求項１に係る発明は、操作片が上部環体の前部桟よりも前方に突出し、上部環体の回動中心（後部桟）から離れているので、前記操作片への指掛けが容易になるとともに、操作片による上部環体の上方への回動力が小さくて済むことになり、ベルトの緩め作業が小労力でかつ容易に行えることになる。
請求項２に係る発明は、前記操作片の先端がベルトに接触し、該先端に障害物が引っ掛かることがなくなる。このため、係止具が不用意に解作動しなくなる。
【発明を実施するための最良の形態】
【００１０】
以下本発明の実施例を図面に基いて説明する。図面において、図１は本発明の実施例を示す部分側面断面図、図２は図１の要部拡大断面図、図３は図２の平面図、図４は係止具の解除状態を示す図２相当の拡大断面図である。
【００１１】
図１〜図３において、１０は旅行あるいは出張時等に携行するスーツケース、トランク等のケース、１１は該ケース１０の開きを防止する締付けベルトであり、ケース１０の周囲を懸回する帯び状のベルト本体１２、中継ベルト１３、及び係止具１５を主要部品としてなる。
【００１２】
前記係止具１５は、ベルト本体１２の挿通孔を有する上部環体１６と下部環体１８とを上下に重ねて前後に配置してなり、上部環体１６は後部にベルト本体１２の挿通孔を形成する前後部桟１６ａ，１６ｂと、前部桟１６ａから前方（図２において左方）に突出する舌片状の操作片１７とを一体に有する。操作片１７は、上部環体１６に対し、下方向けて約２０度の角度で屈曲させ、前部桟１６ａの前部側にベルト本体１２の前端側（余剰部分）１２ｃが挿通できる第２の挿通孔（ア）を形成する。前記下部桟１８は長方形の枠形に形成し、前部桟１８ａと後部桟１８ｂとの間にベルト本体１２が挿通できるようになっている。
【００１３】
前記各上下部環体１６，１８のベルト挿通孔に無端状の中継ベルト１３を挿通し、これを後方（図２において右方）に延長させることにより、各上下部環体１６，１８の後部桟１６ｂ，１８ｂに係止する。そして、図１に示すように、前記中継ベルト１３の後部に長方形枠形の連結環１９を嵌合させ、該連結環１９の後部桟にベルト本体１２の後部１２ｂを通して内側に折り返し、該折り返した後端部１２ｂ−１を長さ調節環２０の中間桟２０ｂに連結する。長さ調節環２０は前後方向に３個の前部桟２０ａ，中間桟２０ｂ，後部桟２０ｃを有する枠形とし、該長さ調節環２０にベルト本体１２の後部１２ｂの途中を蛇行状に挿通して前記前部桟２０ａ，中間桟２０ｂ，後部桟２０ｃに摩擦係合させる。なお、図１において、２１はケース１０の把手である。
【００１４】
前記ベルト本体１２の前部１２ａは、図２、図３に示すように、各上下部環体１６，１８の挿通孔に下側から挿通し、上部環体１６の前部桟１６ａを上側から巻いた後、下部環体１８の挿通孔を通過させて前方に折り返す。そして、前記折り返したベルト本体１２の前端側１２ｃを前方に引っ張ってケース１０を締め付けた後、図２に示すように、上部環体１６を下部環体１８上に重なる如く倒し、操作片１７の先端をベルト本体１２の上面に当接させる。さすれば、上記ベルト本体１２の反力で前部桟１６ａに巻いたベルト本体１２の巻き部１２ｄが該前部桟１６ａと下部環体１８の前部桟１８ａとで挟圧され、締付けベルト１１の緩みが阻止されることになる。
【００１５】
次に、締付けベルト１１を緩める際には、前記操作片１７に指を掛け、該操作片１７を介して上部環体１６を図４の矢印Ｃの如く上方に回動させる。さすれば、上部環体１６の前部桟１６ａが下部環体１８の前部桟１８ａから離れ、前記前部桟１６ａに巻いたベルト本体１２の巻き部１２ｄの挟圧が開放されることになる。そして、ベルト本体１２の前端側１２ｃを矢印Ａ方向（後方）に移動させるとともに、前部１２ａを矢印Ｂ方向（前方）に移動させて前記締付けベルト１１を緩める。
【００１６】
この場合、前記操作片１７が上部環体１６の前部桟１６ａよりも前方に突出し、該操作片１７が上部環体１６の回動中心、つまり後部桟１６ｂから離れているので、該操作片１７への指掛けが容易になるとともに、操作片１７による上部環体１６の上方への回動力が小さくて済むことになり、締付けベルト１１の緩め作業が小労力でかつ容易に行えることになる。また、係止具１５の閉作動時には、前記操作片１７の先端がベルト本体１２に接触しているので、該先端に障害物等が引っ掛からなくなり、係止具１５が不用意に解作動されなくなる。
【図面の簡単な説明】
【００１７】
【図１】本発明の実施例を示す部分側面断面図である。
【図２】図１の要部拡大断面図である。
【図３】図２の平面図である。
【図４】係止具の解除状態を示す図２相当の拡大断面図である。
【図５】従来例を示す係止具係止状態の側面断面図である。
【図６】従来例を示す係止具解除状態の側面断面図である。
【符号の説明】
【００１８】
１０    ケース
１１    締付けベルト
１２    ベルト本体
１２ａ  前部
１２ｂ  後部
１２ｃ  前端側
１２ｄ  巻き部（折り返し部）
１３    中継ベルト
１５    係止具
１６    上部環体
１６ａ  前部桟
１６ｂ  後部桟
１７    操作片
１８    下部環体
１８ａ  前部桟
１８ｂ  後部桟
１９    連結環
２０    長さ調節環
２０ａ  前部桟
２０ｂ  中間桟
２０ｃ  後部桟
【図１】
2007175273.tif 000003
【図２】
2007175273.tif 000004
【図３】
2007175273.tif 000005
【図４】
2007175273.tif 000006
【図５】
2007175273.tif 000007
【図６】
2007175273.tif 000008